(57)【要約】  モニタリング方法及び端末装置を提供する。該モニタリング方法は、アクティブ化されたターゲットオブジェクトの情報に基づいてＰＤＣＣＨをモニタリングすることを含み、ターゲットオブジェクトは、キャリア又はセルであり、前記端末装置のＰＤＣＣＨ処理能力は、前記アクティブ化されたターゲットオブジェクトの間で割り当てられる。
2021525051.tif 000002
【特許請求の範囲】
【請求項１】
端末装置に適用されるモニタリング方法であって、
アクティブ化されたターゲットオブジェクトの情報に基づいて、物理ダウンリンク制御チャネルＰＤＣＣＨをモニタリングすることを含み、
ここで、前記ターゲットオブジェクトは、キャリア又はセルであり、前記端末装置のＰＤＣＣＨ処理能力は、前記アクティブ化されたターゲットオブジェクトの間で割り当てられる、モニタリング方法。
【請求項２】
第１タイミングにおいて、第１ターゲットオブジェクトの状態変更指示シグナリングを受信すると、前記のアクティブ化されたターゲットオブジェクトの情報に基づいて、物理ダウンリンク制御チャネルＰＤＣＣＨをモニタリングすることは、
第２タイミングから、前記第１ターゲットオブジェクトの状態変更後のアクティブ化されたターゲットオブジェクトの情報に基づいて、ＰＤＣＣＨをモニタリングする、請求項１に記載のモニタリング方法。
【請求項３】
前記第２タイミングは、前記第１タイミングと、前記第１ターゲットオブジェクトの状態変更遅延、前記状態変更指示シグナリングの応答遅延、及び第１予め設定された遅延のうちの少なくとも１つとに基づいて決定される、請求項２に記載のモニタリング方法。
【請求項４】
前記第２タイミングは、
前記第１タイミングと、前記第１タイミング及び前記状態変更遅延の和の値と、前記状態変更指示シグナリングの応答タイミングと、前記第１タイミング、前記応答遅延及び前記状態変更遅延の和の値とのうちのいずれか一項である、請求項３に記載のモニタリング方法。
【請求項５】
前記状態変更指示シグナリングは、
アクティブ化シグナリング、非アクティブ化シグナリング、及び前記第１ターゲットオブジェクトのアクティブ化ダウンリンク帯域幅部分ＢＷＰの変更を指示するシグナリングのいずれか一項である、請求項２に記載のモニタリング方法。
【請求項６】
第３タイミングにおいて、第２ターゲットオブジェクトの状態タイマが満了すると、前記のアクティブ化されたターゲットオブジェクトの情報に基づいて、物理ダウンリンク制御チャネルＰＤＣＣＨをモニタリングすることは、
第４タイミングから、前記第２ターゲットオブジェクトの状態変更後のアクティブ化されたターゲットオブジェクトの情報に基づいて、ＰＤＣＣＨをモニタリングすることを含む、請求項１に記載のモニタリング方法。
【請求項７】
前記第４タイミングは、前記第３タイミングと、前記第２ターゲットオブジェクトの状態変更遅延及び第２予め設定された遅延のうちの少なくとも１つとに基づいて決定される、請求項６に記載のモニタリング方法。
【請求項８】
前記第４タイミングは、
前記第３タイミング、又は、前記第３タイミングと状態変更時間遅延との和の値である、請求項７に記載のモニタリング方法。
【請求項９】
前記のアクティブ化されたターゲットオブジェクトの情報に基づいて、物理ダウンリンク制御チャネルＰＤＣＣＨをモニタリングすることは、
前記アクティブ化されたターゲットオブジェクトの数に基づいて、ＰＤＣＣＨモニタリング処理能力を決定することを含み、
ここで、前記ＰＤＣＣＨモニタリング処理能力は、前記端末装置の最大ＰＤＣＣＨモニタリング処理能力、及び／又は、前記アクティブ化されたターゲットオブジェクト中の各ターゲットオブジェクトの最大ＰＤＣＣＨモニタリング処理能力を含む、請求項１に記載のモニタリング方法。
【請求項１０】
前記アクティブ化されたターゲットオブジェクト同士のサブキャリア帯域幅ＳＣＳが同じである場合、前記端末装置の最大ＰＤＣＣＨモニタリング処理能力は、ｍｉｎ（Ｓ，Ｙ）×Ｐであり、
ここで、Ｓは、前記アクティブ化されたターゲットオブジェクトの数であり、Ｙは、前記端末装置がサポート可能と報告したブラインド検出能力であり、Ｐは、１つのスロット内でブラインド検出される最大ＰＤＣＣＨ候補数、又は前記端末装置がブラインド検出を実行する際に必要な最大非オーバーラップ制御チャネル要素ＣＣＥ数である、請求項９に記載のモニタリング方法。
【請求項１１】
前記アクティブ化されたターゲットオブジェクト同士のＳＣＳが異なる場合、前記端末装置の最大ＰＤＣＣＨモニタリング処理能力は、
【数１】
2021525051.tif 000007
であり、
ここで、Ｓは、前記アクティブ化されたターゲットオブジェクトの数であり、Ｙは、前記端末装置がサポート可能と報告したブラインド検出能力であり、Ｐは、１つのスロット内でブラインド検出される最大ＰＤＣＣＨ候補数、又は前記端末装置がブラインド検出を実行する際に必要な最大非オーバーラップＣＣＥ数であり、μは、前記端末装置がサポートするＳＣＳ構成であり、Ｓμは、各種類のＳＣＳ構成μのターゲットオブジェクト数である、請求項９に記載のモニタリング方法。
【請求項１２】
前記アクティブ化されたターゲットオブジェクトのＳＣＳは、前記アクティブ化されたターゲットオブジェクトのアクティブ化ダウンリンクＢＷＰによって決定される、請求項１又は１０又は１１に記載のモニタリング方法。
【請求項１３】
前記のアクティブ化されたターゲットオブジェクトの情報に基づいて、物理ダウンリンク制御チャネルＰＤＣＣＨをモニタリングすることは、
前記アクティブ化されたターゲットオブジェクトの数、及び／又は、前記アクティブ化されたターゲットオブジェクトの識別子の順序に基づいて、全てのアクティブ化されたターゲットオブジェクトのサーチスペースセット及び／又はＰＤＣＣＨ候補を割り当て及び／又はモニタリングすることを含む、請求項１に記載のモニタリング方法。
【請求項１４】
前記のアクティブ化されたターゲットオブジェクトの情報に基づいて、物理ダウンリンク制御チャネルＰＤＣＣＨをモニタリングすることは、
第１アクティブ化セルが他のアクティブ化セルにクロスキャリアスケジューリングされていない場合、前記第１アクティブ化セルのサーチスペースセットでＰＤＣＣＨをモニタリングし、又は、
第２アクティブ化セルが他のアクティブ化セルによりクロスキャリアスケジューリングされている場合、前記第２アクティブ化セルのスケジューリングセルにおける、前記第２アクティブ化セルに関連するサーチスペースセット、及び／又は、前記第２アクティブ化セルに関連するＰＤＣＣＨ候補で、ＰＤＣＣＨをモニタリングすることを含む、請求項１に記載のモニタリング方法。
【請求項１５】
アクティブ化されたターゲットオブジェクトの情報に基づいてＰＤＣＣＨをモニタリングするモニタリングモジュールを含み、
ここで、前記ターゲットオブジェクトは、キャリア又はセルであり、端末装置のＰＤＣＣＨ処理能力は、前記アクティブ化されたターゲットオブジェクトの間で割り当てられる、端末装置。
【請求項１６】
メモリと、プロセッサと、前記メモリに記憶されて前記プロセッサで実行可能なコンピュータプログラムプログラムとを含む端末装置であって、
前記コンピュータプログラムが前記プロセッサによって実行されると、請求項１〜１４のいずれか１項に記載のモニタリング方法が実現される、端末装置。
【請求項１７】
コンピュータプログラムが記憶されているコンピュータ読み取り可能な記憶媒体であって、
前記コンピュータプログラムがプロセッサによって実行されると、請求項１〜１４のいずれか１項に記載のモニタリング方法が実現される、コンピュータ読み取り可能な記憶媒体。
【発明の詳細な説明】
【技術分野】
【０００１】
本願は、２０１８年７月２０日に提出された中国特許出願第２０１８１０８０６６４０．Ｘ号の優先権を主張するものであり、その全ての内容は参照によりここに組み込まれるものとする。
本開示は、通信の技術分野に関し、特に、モニタリング方法及び端末装置に関する。
【背景技術】
【０００２】
第５世代移動通信技術（５ｔｈ−Ｇｅｎｅｒａｔｉｏｎ、５Ｇ）の新たな無線技術（Ｎｅｗ  Ｒａｄｉｏ、ＮＲ）システムは、キャリアアグリゲーション（Ｃａｒｒｉｅｒ  Ａｇｇｒｅｇａｔｉｏｎ、ＣＡ）をサポートし、ユーザ装置（Ｕｓｅｒ  Ｅｑｕｉｐｍｅｎｔ、ＵＥ）のような端末装置に複数のコンポーネントキャリア（Ｃｏｍｐｏｎｅｎｔ  Ｃａｒｒｉｅｒ、ＣＣ）又はセルを構成し、アクティブ化することができる。ＵＥは、ＣＣ又はセル毎に、複数の帯域幅部分（Ｂａｎｄｗｉｄｔｈ  Ｐａｒｔ、ＢＷＰ）が構成されてもよく、異なるＢＷＰのサブキャリア間隔（Ｓｕｂｃａｒｒｉｅｒ  Ｓｐａｃｉｎｇ、ＳＣＳ）が同一であってもよく、異なっていてもよい。また、ＮＲシステムは、ＣＣ又はセル毎のＢＷＰに物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を柔軟に構成し、複数のＣＣ又はセル間で、構成されたＣＣ又はセルの数に基づいてＰＤＣＣＨ候補数及び非オーバーラップ制御チャネル要素（Ｃｏｎｔｒｏｌ  Ｃｈａｎｎｅｌ  Ｅｌｅｍｅｎｔ、ＣＣＥ）数を割り当て、ＰＤＣＣＨをモニタリングするようにサポートすることができる。
【０００３】
ＵＥがシングルキャリアモード又はＣＡでの自己スケジューリングモードに構成されている場合、各ＣＣ又はセルは、複数の制御リソースセットＣＯＲＥＳＥＴと、共通サーチスペース（Ｃｏｍｍｏｎ  Ｓｅａｒｃｈ  Ｓｐａｃｅ、ＣＳＳ）及びＵＥ特有サーチスペース（ＵＥ−ｓｐｅｃｉｆｉｃ  Ｓｅａｒｃｈ  Ｓｐａｃｅ、ＵＳＳ）を含む複数のサーチスペースセットとを配置することができる。ネットワーク側は、各サーチスペースセットにブラインド検出数を柔軟に設定することができ、ＣＯＲＥＳＥＴとサーチスペースセットとの間は柔軟に関連することができる。
【０００４】
あるセルのチャネル品質がよくないか、又はチャネルブロックリング確率が高い場合、ネットワーク側は、ＵＥにクロスキャリアスケジューリングを構成し、即ち制御チャネルをチャネル品質のよい他のセル（例えば、プライマリセル（Ｐｒｉｍａｒｙ  Ｃｅｌｌ、ＰＣｅｌｌ））に構成して他のセル（例えば、セカンダリセル（Ｓｅｃｏｎｄａｒｙ  Ｃｅｌｌ、ＳＣｅｌｌ））のデータをクロスキャリアスケジューリングすることができる。スケジューリングセル（Ｓｃｈｅｄｕｌｉｎｇ  Ｃｅｌｌ）と被スケジューリングセル（Ｓｃｈｅｄｕｌｅｄ  Ｃｅｌｌ）のＳＣＳは、同じであってもよく、異なっていてもよい。スケジューリングセルは、自己スケジューリングモードであってもよく、この場合、該セルは、自分のみをスケジューリングする。スケジューリングセルがクロスキャリアスケジューリングに構成される場合、スケジューリングセルは、自分以外の１つ以上の被スケジューリングセルをスケジューリングすることができる。被スケジューリングセルは、自分のＰＤＣＣＨがなく、スケジューリングセルによりスケジューリングされることしかできない。
【０００５】
ＮＲシステムは、ＵＥの実現複雑度を低減するために、ＵＥが一つのＣＣ又はセルのＰＤＣＣＨをブラインド検出する最大処理能力を規定している。この能力は、１つのスロット（ｓｌｏｔ）内でブラインド検出する最大のＰＤＣＣＨ候補数、及びＵＥがブラインド検出するために必要な最大チャネル推定数、即ち非オーバーラップＣＣＥ数という２つの部分を含む。ＵＥの最大ＰＤＣＣＨ処理能力は、ブラインド検出されたＣＣ又はセルのＳＣＳに関連し、即ち異なるＳＣＳにおける１つのｓｌｏｔ内のＰＤＣＣＨ処理能力は異なる。また、ＵＥは、ＣＡ時にサポートする最大ブラインド検出能力Ｙをさらに報告することができる。ネットワーク側に構成されたセル数がＵＥの報告する能力Ｙを超えると、ＮＲシステムは、複数の構成されたセルの間にＵＥのＰＤＣＣＨ処理能力を割り当てることをサポートすることができる。
【０００６】
ＵＥに複数のセル又はＣＣが構成された場合、関連技術におけるＮＲシステムは、構成された複数のセル又はＣＣの間でＵＥのＰＤＣＣＨ処理能力を割り当てることをサポートする。また、関連技術におけるＮＲシステムは、ＳＣｅｌｌのアクティブ化（ａｃｔｉｖａｔｅ）又は非アクティブ化（ｄｅａｃｔｉｖａｔｅ）をもサポートする。１つの非アクティブ化されたＳＣｅｌｌに対して、ＵＥは、該ＳＣｅｌｌのＰＤＣＣＨをモニタリングする必要はないが、依然として構成された複数のセル又はＣＣの間でＵＥのＰＤＣＣＨ処理能力を割り当てると、ＵＥのＰＤＣＣＨ処理能力が無駄になり、ＵＥがスケジューリングされる機会が低減される。
【発明の概要】
【０００７】
本開示の実施例は、関連技術において構成された複数のセル又はキャリアの間でＵＥのＰＤＣＣＨ処理能力を割り当てると、ＵＥのＰＤＣＣＨ処理能力が無駄になるという課題を解決するために、モニタリング方法及び端末装置を提供する。
【０００８】
上記技術的課題を解決するために、第１様態では、本開示の実施例に係る端末装置に応用されるモニタリング方法は、
アクティブ化されたターゲットオブジェクトの情報に基づいて、ＰＤＣＣＨをモニタリングすることを含み、
ここで、前記ターゲットオブジェクトは、キャリア又はセルであり、前記端末装置のＰＤＣＣＨ処理能力は、前記アクティブ化されたターゲットオブジェクトの間で割り当てられる。
【０００９】
第２様態では、本開示の実施例に係る端末装置は、
アクティブ化されたターゲットオブジェクトの情報に基づいてＰＤＣＣＨをモニタリングするモニタリングモジュールを含み、
ここで、前記ターゲットオブジェクトは、キャリア又はセルであり、前記端末装置のＰＤＣＣＨ処理能力は、前記アクティブ化されたターゲットオブジェクトの間で割り当てられる。
【００１０】
第３様態では、本開示の実施例に係る端末装置は、
メモリと、プロセッサと、前記メモリに記憶されて前記プロセッサで実行可能なコンピュータプログラムプログラムとを含み、
前記コンピュータプログラムが前記プロセッサによって実行されると、上記のモニタリング方法が実現される。
【００１１】
第４様態では、本開示の実施例に係る、コンピュータプログラムが記憶されているコンピュータ読み取り可能な記憶媒体は、
前記コンピュータプログラムがプロセッサによって実行されると、上記のモニタリング方法が実現される。
【００１２】
本開示の実施例において、アクティブ化されたターゲットオブジェクトの情報に基づいて、ＰＤＣＣＨをモニタリングし、該ターゲットオブジェクトはキャリア又はセルであり、アクティブ化されたターゲットオブジェクトの間で端末装置のＰＤＣＣＨ処理能力を割り当てることができ、非アクティブ化されたターゲットオブジェクトが端末装置のＰＤＣＣＨ処理能力を占有することを回避して、端末装置のＰＤＣＣＨ処理能力を十分に活用し、制御リソースの割り当てを最大化し、端末装置の処理能力を超えないように制御チャネルの割り当てブロックリング確率を低減することができる。
【図面の簡単な説明】
【００１３】
【図１】本開示の実施例に係るモニタリング方法のフローチャートである。
【図２】本開示の実施例に係る端末装置の概略構成図のその１である。
【図３】本開示の実施例に係る端末装置の概略構成図のその２である。
【発明を実施するための形態】
【００１４】
本開示の実施例の技術案をより明確に説明するために、以下、本開示の実施例の説明に必要な図面を簡単に説明し、明らかに、以下に説明される図面は、本開示のいくつかの実施例にすぎず、当業者であれば、創造的な労働をすることなく、これらの図面に基づいて他の図面を得ることができる。
【００１５】
図１に示すように、本開示の実施例に係る端末装置に応用されるモニタリング方法は、以下のステップ１０１を含んでよい。
ステップ１０１：アクティブ化されたターゲットオブジェクトの情報に基づいて、ＰＤＣＣＨをモニタリングする。
【００１６】
好ましくは、該ターゲットオブジェクトは、キャリア又はセルであってよい。
【００１７】
本開示の実施例に係るモニタリング方法は、アクティブ化されたターゲットオブジェクトの情報に基づいて、ＰＤＣＣＨをモニタリングし、該ターゲットオブジェクトはキャリア又はセルであり、アクティブ化されたターゲットオブジェクトの間に端末装置のＰＤＣＣＨ処理能力を割り当てることができて、非アクティブ化されたターゲットオブジェクトが端末装置のＰＤＣＣＨ処理能力を占有することを回避して、端末装置のＰＤＣＣＨ処理能力を十分に活用し、制御リソースの割り当てを最大化し、端末装置の処理能力を超えないように制御チャネルの割り当てブロックリング確率を低減することができる。
【００１８】
本開示の実施例において、端末装置に複数のセルが構成されると、任意のセルに対して、該セルのＳＣＳは該セルのアクティブ化ダウンリンクＢＷＰにより決定することができる。アクティブ化セルが他のアクティブ化セルによりクロスキャリアスケジューリングされていない場合、端末装置は該アクティブ化セルのサーチスペースセットのみでＰＤＣＣＨをモニタリングする。アクティブ化セルが他のアクティブ化セルにクロスキャリアスケジューリングされている場合、端末装置は、該アクティブ化セルのスケジューリングセルにおける該アクティブ化セルに関連するサーチスペースセット、及び／又は、該アクティブ化セルに関連するＰＤＣＣＨ候補で、ＰＤＣＣＨをモニタリングする。好ましくは、ステップ１０１は、
第１アクティブ化セルが他のアクティブ化セルにクロスキャリアスケジューリングされていない場合、前記第１アクティブ化セルのサーチスペースセットでＰＤＣＣＨをモニタリングし、又は、
第２アクティブ化セルが他のアクティブ化セルによりクロスキャリアスケジューリングされている場合、前記第２アクティブ化セルのスケジューリングセルにおける、前記第２アクティブ化セルに関連するサーチスペースセット、及び／又は、前記第２アクティブ化セルに関連するＰＤＣＣＨ候補で、ＰＤＣＣＨをモニタリングすることを含む。
【００１９】
このように、ＰＤＣＣＨを選択的にモニタリングすることにより、ＰＤＣＣＨを正確かつ効率的にモニタリングすることができる。
【００２０】
本開示の実施例において、好ましくは、ステップ１０１は、
端末装置がアクティブ化されたターゲットオブジェクトの数に基づいて、ＰＤＣＣＨモニタリング処理能力を決定することを含んでよく、
ここで、前記ＰＤＣＣＨモニタリング処理能力は、端末装置の最大ＰＤＣＣＨモニタリング処理能力、及び／又はアクティブ化されたターゲットオブジェクト中の各ターゲットオブジェクトの最大ＰＤＣＣＨモニタリング処理能力を含んでよい。
この端末装置の最大ＰＤＣＣＨモニタリング処理能力とは、一般的に単位時間（例えば１つのスロット）内の最大ＰＤＣＣＨモニタリング処理能力を指す。
【００２１】
好ましくは、ステップ１０１は、
端末装置が、アクティブ化された前記ターゲットオブジェクトの数、及び／又は、アクティブ化されたターゲットオブジェクトの識別子の順序に基づいて、全てのアクティブ化されたターゲットオブジェクトのサーチスペースセット及び／又は前記ＰＤＣＣＨ候補を割り当て及び／又はモニタリングすることを含んでよい。
【００２２】
この割り当て及び／又はモニタリングの状況は、
端末装置が、アクティブ化されたターゲットオブジェクトの数に基づいて、全てのアクティブ化されたターゲットオブジェクトのサーチスペースセットを割り当て及び／又はモニタリングすることと、
端末装置が、アクティブ化されたターゲットオブジェクトの数に基づいて、全てのアクティブ化されたターゲットオブジェクトのＰＤＣＣＨ候補を割り当て及び／又はモニタリングすることと、
端末装置が、アクティブ化されたターゲットオブジェクトの識別子の順序に基づいて、全てのアクティブ化されたターゲットオブジェクトのサーチスペースセットを割り当て及び／又はモニタリングすることと、
端末装置が、アクティブ化されたターゲットオブジェクトの識別子の順序に基づいて、全てのアクティブ化されたターゲットオブジェクトのＰＤＣＣＨ候補を割り当て及び／又はモニタリングすることと、
端末装置が、アクティブ化されたターゲットオブジェクトの数、及びアクティブ化されたターゲットオブジェクトの識別子の順序に基づいて、全てのアクティブ化されたターゲットオブジェクトのサーチスペースセットを割り当て及び／又はモニタリングすることと、
端末装置が、アクティブ化されたターゲットオブジェクトの数、及びアクティブ化されたターゲットオブジェクトの識別子の順序に基づいて、全てのアクティブ化されたターゲットオブジェクトのＰＤＣＣＨ候補を割り当て及び／又はモニタリングすることと、
端末装置が、アクティブ化されたターゲットオブジェクトの数に基づいて、全てのアクティブ化されたターゲットオブジェクトのサーチスペースセット及びＰＤＣＣＨ候補を割り当て及び／又はモニタリングすることと、
端末装置が、アクティブ化されたターゲットオブジェクトの識別子の順序に基づいて、全てのアクティブ化されたターゲットオブジェクトのサーチスペースセット及びＰＤＣＣＨ候補を割り当て及び／又はモニタリングすることと、
端末装置が、アクティブ化されたターゲットオブジェクトの数、及びアクティブ化されたターゲットオブジェクトの識別子の順序に基づいて、全てのアクティブ化されたターゲットオブジェクトのサーチスペースセット及びＰＤＣＣＨ候補を割り当て及び／又はモニタリングすることと、のうちのいずれか１つであり得ることを、理解されたい。
【００２３】
さらに、好ましくは、アクティブ化されたターゲットオブジェクト同士のＳＣＳが同じである場合、該端末装置の最大ＰＤＣＣＨモニタリング処理能力は、ｍｉｎ（Ｓ，Ｙ)×Ｐであり、
ここで、Ｓは、アクティブ化されたターゲットオブジェクトの数であり、Ｙは、端末装置がサポート可能と報告したブラインド検出能力であり、Ｐは、（例えば、プロトコルで規定された）１つのスロット（ｓｌｏｔ）内でブラインド検出される最大ＰＤＣＣＨ候補数（以下の表１を参照）、又は端末装置がブラインド検出を実行する際に必要な最大非オーバーラップＣＣＥ数（以下の表２を参照）である。
さらに、好ましくは、アクティブ化されたターゲットオブジェクト同士のＳＣＳが異なる場合、該端末装置の最大ＰＤＣＣＨモニタリング処理能力は、
【数１】
2021525051.tif 000003
であり、
ここで、Ｓは、アクティブ化されたターゲットオブジェクトの数であり、Ｙは、端末装置がサポート可能と報告したブラインド検出能力であり、Ｐは、（例えば、プロトコルで規定された）１つのスロット（ｓｌｏｔ）内でブラインド検出される最大ＰＤＣＣＨ候補数（以下の表１を参照）、又は端末装置がブラインド検出を実行する際に必要な最大非オーバーラップＣＣＥ数（以下の表２を参照）であり、μは端末装置がサポートするＳＣＳ構成であり、Sμは各種類のＳＣＳ構成μのターゲットオブジェクト数である。
【００２４】
なお、アクティブ化されたターゲットオブジェクトのＳＣＳはアクティブ化されたターゲットオブジェクトのアクティブ化ダウンリンクＢＷＰによって決定することができる。端末装置がサポートするＳＣＳ構成は０、１、２及び３であってもよい。単一のターゲットオブジェクト（例えば、セル）の場合、異なるＳＣＳがμに配置される場合、各ｓｌｏｔの最大のＰＤＣＣＨ候補数ｐ１は、以下の表１に示すとおりである。
【００２５】
【表１】
2021525051.tif 000004
【００２６】
一方、単一のターゲットオブジェクト（例えば、セル）の場合、異なるＳＣＳにμが構成される場合、各ｓｌｏｔの最大の非オーバーラップＣＣＥ数（即ち、端末装置がブラインド検出する際に必要な最大非重畳ＣＣＥ数）ｐ２は表２に示すとおりである。
【００２７】
【表２】
2021525051.tif 000005
【００２８】
本開示の実施例において、好ましくは、第１タイミングにおいて、第１ターゲットオブジェクトの状態変更指示シグナリングを受信すると、端末装置は、第２タイミングから、該第１ターゲットオブジェクトの状態変更後のアクティブ化されたターゲットオブジェクトの情報に基づいて、ＰＤＣＣＨをモニタリングする（又はＰＤＣＣＨをブラインド検出する）ことができ、一方、第２タイミングよりも前に、ＰＤＣＣＨをブラインド検出する挙動が変化しないように維持してよい。
【００２９】
このように、ＰＤＣＣＨを選択的にモニタリングすることにより、ＰＤＣＣＨを正確かつ効率的にモニタリングすることができる。
【００３０】
なお、該第２タイミングは第１タイミングよりも後の任意のタイミングであってよい。
【００３１】
具体的には、該第２タイミングは、第１タイミングと、
第１ターゲットオブジェクトの状態変更遅延、状態変更指示シグナリングの応答遅延及び第１予め設定された遅延のうちの少なくとも１つとに基づいて決定されてよい。
【００３２】
ここで、該第１予め設定された遅延は、実際の状況に基づいて予め設定されてよく、例えば、０Ｓ、０．１Ｓなどであってよい。
好ましくは、該第２タイミングは、
第１タイミング（即ち第１タイミングと予め設定された遅延０Ｓとの和の値）、第１タイミングと該状態変更遅延との和の値、状態変更指示シグナリングの応答タイミング（即ち第１タイミングと該応答遅延との和の値）、第１タイミングと該応答遅延と該状態変更遅延との和の値、及び第１タイミングと該応答遅延と、該状態変更遅延と該第１予め設定された遅延との和の値のいずれかであってよい。
【００３３】
好ましくは、該状態変更指示シグナリングは、
アクティブ化シグナリング、非アクティブ化シグナリング、及び第１ターゲットオブジェクトのアクティブ化ダウンリンク帯域幅部分ＢＷＰの変更を指示するシグナリングのいずれかであってよい。
【００３４】
例えば、ＵＥ１がＮ個のセルが構成されており、そのうちＳ（Ｎ未満）個のセルがアクティブ化されている場合、タイミングｎ１において、ＵＥ１がセル１のアクティブ化シグナリングを受信すると、ＵＥ１は、タイミングｎ２よりも前に、セル１以外の他のセルのＰＤＣＣＨをブラインド検出する挙動が変化しないように維持してよく、即ち、
ＵＥ１は、依然として該セル１のアクティブ化前のアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ１は、該セル１のアクティブ化前のアクティブ化セルの数（及び／又はアクティブ化セルの識別子ＩＤの順序）に基づいて、他のセルのサーチスペースセット又はＰＤＣＣＨ候補を割り当て、マッピング及び／又はモニタリングする。
【００３５】
一方、ＵＥ１は、タイミングｎ２から、該アクティブ化シグナリングの有効化後のアクティブ化セルの情報に基づいてＰＤＣＣＨをブラインド検出することができ、即ち、
ＵＥ１は、該セル１のアクティブ化後のアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ１は、該セル１のアクティブ化後のアクティブ化セルの数（及び／又はアクティブ化セルの識別ＩＤの順序）に基づいて、全てのアクティブ化セルのサーチスペースセット又はＰＤＣＣＨ候補を割り当て、マッピング及び／又はモニタリングする。
【００３６】
なお、セル１のアクティブ化遅延をｋ１、アクティブ化シグナリングの応答遅延をｙ１とすると、タイミングｎ２は、ｎ１、ｎ１＋ｋ、ｎ１＋ｙ１及びｎ１＋ｋ＋ｙ１のいずれかであってよい。
【００３７】
又は、ＵＥ１は、タイミングｎ３において、セル２の非アクティブ化シグナリングを受信すると、タイミングｎ４の前に、セル２以外の他のセルのＰＤＣＣＨをブラインド検出する挙動が変化しないように維持してよく、即ち、
ＵＥ１は、依然として該セル２の非アクティブ化前のアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ１は、該セル２の非アクティブ化前のアクティブ化セルの数（及び／又はアクティブ化セルの識別ＩＤの順序）に基づいて、他のセルのサーチスペースセット又はＰＤＣＣＨ候補を割り当て、マッピング及び／又はモニタリングする。
【００３８】
一方、ＵＥ１は、タイミングｎ４から、該非アクティブ化シグナリングの有効化後のアクティブ化セルの情報に基づいてＰＤＣＣＨをブラインド検出することができ、即ち、
ＵＥ１は、該セル２の非アクティブ化後のアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ１は、該セル２の非アクティブ化後のアクティブ化セルの数（及び／又はアクティブ化セルの識別ＩＤの順序）に基づいて、全てのセルのサーチスペースセット又はＰＤＣＣＨ候補を割り当て、マッピング及び／又はモニタリングする。
【００３９】
なお、セル２のアクティブ化遅延をｋ２、非アクティブ化シグナリングの応答遅延をｙ２とすると、タイミングｎ４は、ｎ３、ｎ３＋ｋ２、ｎ３＋ｙ２及びｎ３＋ｋ２＋ｙ２のいずれかであってよい。
【００４０】
又は、ＵＥ１は、タイミングｎ５において、アクティブ化セル３のアクティブ化ダウンリンクＢＷＰ１変更（例えば、新たなＢＷＰ２への切り替えを指示する）を指示するＤＣＩを受信すると、タイミングｎ６の前に、セル３以外の他のセルのＰＤＣＣＨをブラインド検出する挙動が変化しないように維持してよく、即ち、
ＵＥ１は、依然として元のＢＷＰ１のＳＣＳに基づいて、セル３のＳＣＳを決定し、さらにアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ１は、元のＢＷＰ１のＳＣＳに基づいて、各種類のＳＣＳのアクティブ化セルの数（及び／又はアクティブ化セルの識別ＩＤの順序）を決定し、さらに他のセルのサーチスペースセット又はＰＤＣＣＨ候補を割り当て、マッピング及び／又はモニタリングする。
【００４１】
一方、ＵＥ１は、タイミングｎ６から、該ＤＣＩの有効化後の新たなＢＷＰ２のＳＣＳに基づいてＰＤＣＣＨをブラインド検出することができ、即ち、
ＵＥ１は、新たなＢＷＰ２のＳＣＳに基づいて、セル３のＳＣＳを決定し、さらにアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ１は、新たなＢＷＰ２のＳＣＳに基づいて、各種類のＳＣＳのアクティブ化セルの数（及び／又はアクティブ化セルのＩＤの順序）を決定し、さらに各アクティブ化セルのサーチスペースセット又はＰＤＣＣＨ候補を割り当て、マッピング及び／又はモニタリングする。
【００４２】
なお、ＢＷＰの切り替え又は有効化遅延をｒとすると、ｒは、ＤＣＩが指示する新たなＢＷＰ２の時間領域位置に等しくてもよく、ＵＥ１が新たなＢＷＰ２に切り替えてデータを受信する遅延に等しくてもよく、ＤＣＩの応答遅延がｙ３であれば、タイミングｎ６は、ｎ５、ｎ５＋ｒ、ｎ５＋ｙ３及びｎ５＋ｒ＋ｙ３のいずれかであってよい。
【００４３】
本開示の実施例において、好ましくは、第３タイミングにおいて、第２ターゲットオブジェクトの状態タイマが満了すると、端末装置は、第４タイミングから、該第２ターゲットオブジェクトの状態変更後のアクティブ化されたターゲットオブジェクトの情報に基づいて、ＰＤＣＣＨをモニタリングする（又はＰＤＣＣＨをブラインド検出する）ことができ、一方、第４タイミングよりも前に、ＰＤＣＣＨをブラインド検出する挙動が変化しないように維持してよい。
【００４４】
なお、該第４タイミングは第３タイミングよりも後の任意のタイミングであってもよい。
【００４５】
具体的には、該第４タイミングは、第３タイミングと、
第２ターゲットオブジェクトの状態変更遅延及び第２予め設定された遅延のうちの少なくとも１つとに決定することができる。
【００４６】
ここで、該第２予め設定された遅延は、実際の状況に基づいて予め設定されてもよく、例えば、０Ｓ、０．１Ｓなどであってもよい。好ましくは、該第４タイミングは、
第３タイミング（即ち、第３タイミングと予め設定された遅延０Ｓとの和の値）、第３タイミングと該状態変更遅延の和の値、及び第３タイミングと該状態変更遅延と該第２予め設定された遅延との和の値のいずれかであってよい。
【００４７】
例えば、ＵＥ２にＭ個のセルが構成されており、そのうちＨ（Ｍ未満）個のセルがアクティブ化されている場合、タイミングｓ１において、セル１の非アクティブ化タイマ（ｄｅａｃｔｉｖａｔｉｏｎ  ｔｉｍｅｒ）が満了すると、ＵＥ２は、タイミングｓ２よりも前に、セル１以外の他のセルのＰＤＣＣＨをブラインド検出する挙動が変化しないように維持してよく、即ち、
ＵＥ２は、依然として該セル１の非アクティブ化前のアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ２は、該セル１の非アクティブ化前のアクティブ化セルの数（及び／又はアクティブ化セルの識別ＩＤの順序）に基づいて、他のセルのサーチスペースセット又はＰＤＣＣＨ候補を割り当て、マッピング及び／又はモニタリングする。
【００４８】
一方、ＵＥ２は、タイミングｓ２から、該セル１の非アクティブ化後のアクティブ化セルの情報に基づいてＰＤＣＣＨをブラインド検出することができ、即ち、
ＵＥ２は、該セル１の非アクティブ化後のアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ２は、該セル１の非アクティブ化後のアクティブ化セルの数（及び／又はアクティブ化セルの識別ＩＤの順序）に基づいて、全てのセルのサーチスペースセット又はＰＤＣＣＨ候補を割り当て、マッピング及び／又はモニタリングする。
【００４９】
なお、セル１の非アクティブ化遅延をｘとすると、タイミングｓ２は、ｓ、又はｓ１＋ｘであってもよい。
【００５０】
又は、タイミングｓ３において、アクティブ化セル２の非活動タイマ（例えば、元のアクティブ化ダウンリンクＢＷＰ１が新たなＢＷＰ２に切り替えることを指示する）が満了すると、ＵＥ２は、タイミングｓ４よりも前に、セル２以外の他のセルのＰＤＣＣＨをブラインド検出する挙動が変化しないように維持してよく、即ち、
ＵＥ２は、依然として元のＢＷＰ１のＳＣＳに基づいて、セル２のＳＣＳを決定し、さらにアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ２は、元のＢＷＰ１のＳＣＳに基づいて、各種類のＳＣＳのアクティブ化セルの数（及び／又はアクティブ化セルの識別ＩＤの順序）を決定し、さらに他のセルのサーチスペースセット又はＰＤＣＣＨ候補を割り当て、マッピング及び／又はモニタリングする。
【００５１】
一方、ＵＥ２は、タイミングｓ４から、新たなＢＷＰ２のＳＣＳに基づいてＰＤＣＣＨをブラインド検出することができ、即ち、
ＵＥ２は、新たなＢＷＰ２のＳＣＳに基づいて、セル２のＳＣＳを決定し、さらにアクティブ化セルの数に基づいて、その最大ＰＤＣＣＨモニタリング処理能力、及び／又は各アクティブ化セルの最大ＰＤＣＣＨモニタリング処理能力を決定し、及び／又は、ＵＥ２は、新たなＢＷＰ２のＳＣＳに基づいて、各種類のＳＣＳのアクティブ化セルの数（及び／又はアクティブ化セルのＩＤの順序）を決定し、さらに各セルのサーチスペースセット又はＰＤＣＣＨ候補を割り当て、マッピング及び／又はモニタリングする。
【００５２】
なお、ＢＷＰの切り替え又は有効化遅延をｒとすると、ｒは、新たなＢＷＰ２の時間領域位置に等しくてもよく、ＵＥ２が新たなＢＷＰ２に切り替えてデータを受信する遅延に等しくてもよく、タイミングｓ４は、ｓ３、又はｓ３＋ｒであってよい。
【００５３】
上記実施例は本開示のモニタリング方法を説明したが、以下では、本開示の端末装置について、実施例及び図面を参照しながら説明する。
【００５４】
図２に示すように、本開示の実施例に係る端末装置２は、
アクティブ化されたターゲットオブジェクトの情報に基づいて、ＰＤＣＣＨをモニタリングするモニタリングモジュール２１を含み、
ここで、前記ターゲットオブジェクトは、キャリア又はセルである。
【００５５】
本開示の実施例に係る端末装置は、アクティブ化されたターゲットオブジェクトの情報に基づいて、ＰＤＣＣＨをモニタリングし、該ターゲットオブジェクトはキャリア又はセルであり、アクティブ化されたターゲットオブジェクトの間に自身のＰＤＣＣＨ処理能力を割り当てることができて、非アクティブ化されたターゲットオブジェクトが自身のＰＤＣＣＨ処理能力を占有することを回避して、自身のＰＤＣＣＨ処理能力を十分に活用し、制御リソースの割り当てを最大化し、自身の処理能力を超えないように制御チャネルの割り当てブロックリング確率を低減することができる。
【００５６】
本開示の実施例において、好ましくは、前記モニタリングモジュール２１は、具体的には、
第１タイミングにおいて、第１ターゲットオブジェクトの状態変更指示シグナリングを受信すると、第２タイミングから、前記第１ターゲットオブジェクトの状態変更後のアクティブ化されたターゲットオブジェクトの情報に基づいて、ＰＤＣＣＨをモニタリングする。
【００５７】
好ましくは、前記第２タイミングは、前記第１タイミングと、
前記第１ターゲットオブジェクトの状態変更遅延、状態変更指示シグナリングの応答遅延及び第１予め設定された遅延のうちの少なくとも１つとに基づいて決定される。
【００５８】
好ましくは、前記第２タイミングは、
前記第１タイミングと、前記第１タイミング及び前記状態変更遅延の和の値と、前記状態変更指示シグナリングの応答タイミングと、前記第１タイミング及び前記応答遅延並びに前記状態変更遅延の和の値とのうちのいずれか一項である。
【００５９】
好ましくは、前記状態変更指示シグナリングは、
アクティブ化シグナリング、非アクティブ化シグナリング、及び前記第１ターゲットオブジェクトのアクティブ化ダウンリンク帯域幅部分ＢＷＰの変更を指示するシグナリングのいずれか一項である。
【００６０】
好ましくは、前記モニタリングモジュール２１は、具体的に、
第３タイミングにおいて、第２ターゲットオブジェクトの状態タイマが満了すると、第４タイミングから、前記第２ターゲットオブジェクトの状態変更後のアクティブ化されたターゲットオブジェクトの情報に基づいて、ＰＤＣＣＨをモニタリングする。
【００６１】
好ましくは、前記第４タイミングは、前記第３タイミングと、
前記第２ターゲットオブジェクトの状態変更遅延及び第２予め設定された遅延のうちの少なくとも１つとに決定される。
【００６２】
好ましくは、前記第４タイミングは、
前記第３タイミング、又は、前記第３タイミングと前記状態変更時間遅延との和の値である。
【００６３】
好ましくは、前記モニタリングモジュール２１は、
前記アクティブ化されたターゲットオブジェクトの数に基づいて、ＰＤＣＣＨモニタリング処理能力を決定する決定ユニットを含み、
ここで、前記ＰＤＣＣＨモニタリング処理能力は、前記端末装置の最大ＰＤＣＣＨモニタリング処理能力、及び／又は、前記アクティブ化されたターゲットオブジェクト中の各ターゲットオブジェクトの最大ＰＤＣＣＨモニタリング処理能力を含む。
【００６４】
好ましくは、前記アクティブ化されたターゲットオブジェクト同士のＳＣＳが同じである場合、前記端末装置の最大ＰＤＣＣＨモニタリング処理能力は、
好ましくは、アクティブ化されたターゲットオブジェクト同士のＳＣＳが同じである場合、該端末装置の最大ＰＤＣＣＨモニタリング処理能力は、ｍｉｎ（Ｓ，Ｙ）×Ｐであり、
ここで、Ｓは、前記アクティブ化されたターゲットオブジェクトの数であり、Ｙは、前記端末装置がサポート可能と報告したブラインド検出能力であり、Ｐは、１つのスロット内でブラインド検出される最大ＰＤＣＣＨ候補数、又は前記端末装置がブラインド検出を実行する際に必要な最大非オーバーラップ制御チャネル要素ＣＣＥ数である。
【００６５】
好ましくは、前記アクティブ化されたターゲットオブジェクト同士のＳＣＳが異なる場合、前記端末装置の最大ＰＤＣＣＨモニタリング処理能力は、
【数２】
2021525051.tif 000006
であり、
ここで、Ｓは、前記アクティブ化されたターゲットオブジェクトの数であり、Ｙは、前記端末装置がサポート可能と報告したブラインド検出能力であり、Ｐは、１つのスロット内でブラインド検出される最大ＰＤＣＣＨ候補数、又は前記端末装置がブラインド検出を実行する際に必要な最大非オーバーラップＣＣＥ数であり、μは前記端末装置がサポートするＳＣＳ構成であり、Sμ、は各種類のＳＣＳ構成μのターゲットオブジェクト数である。
【００６６】
好ましくは、前記アクティブ化されたターゲットオブジェクトのＳＣＳは前記アクティブ化されたターゲットオブジェクトのアクティブ化ダウンリンクＢＷＰによって決定される。
【００６７】
好ましくは、前記モニタリングモジュール２１は、
前記アクティブ化されたターゲットオブジェクトの数、及び／又は、前記アクティブ化されたターゲットオブジェクトの識別子の順序に基づいて、全てのアクティブ化されたターゲットオブジェクトのサーチスペースセット及び／又はＰＤＣＣＨ候補を割り当て及び／又はモニタリングする処理ユニットを含む。
【００６８】
好ましくは、前記モニタリングモジュール２１は、具体的に、
第１アクティブ化セルが他のアクティブ化セルによりクロスキャリアスケジューリングされていない場合、前記アクティブ化セルのサーチスペースセットでＰＤＣＣＨをモニタリングし、又は、
第２アクティブ化セルが他のアクティブ化セルによりクロスキャリアスケジューリングされている場合、前記第２アクティブ化セルのスケジューリングセルにおける、前記第２アクティブ化セルに関連するサーチスペースセット、及び／又は、前記第２アクティブ化セルに関連するＰＤＣＣＨ候補で、ＰＤＣＣＨをモニタリングする。
【００６９】
本開示の実施例に係る端末装置は、プロセッサと、メモリと、メモリに記憶され、前記プロセッサ上で実行でき、前記プロセッサによって実行されると、上記実施例におけるモニタリング方法の各プロセスを実現し、同様の効果を実現できるコンピュータプログラムとを含み、重複を避けるために、ここでは説明を省略する。
【００７０】
具体的には、図３は、本開示の各実施例を実現する端末装置のハードウェア概略構成図であり、端末装置３００は、無線高周波ユニット３０１、ネットワークモジュール３０２、オーディオ出力ユニット３０３、入力ユニット３０４、センサ３０５、表示ユニット３０６、ユーザ入力ユニット３０７、インタフェースユニット３０８、メモリ３０９、プロセッサ３１０、及び電源３１１などの部品を含むが、それらに限定されない。図３に示した端末の構造は、端末を限定するものではなく、端末装置は、図示よりも多い又は少ない部品を含んでも、一部の部品が組み合わされても、部品配置が異なってもよいことは、当業者に理解されるところである。本発明の実施例において、端末装置は携帯電話、タブレットコンピュータ、ノートパソコン、パームトップコンピュータ、車載端末、ウェアラブル装置、歩数計などを含むがこれらに限定されない。
【００７１】
プロセッサ３１０は、アクティブ化されたターゲットオブジェクトの情報に基づいて、ＰＤＣＣＨをモニタリングする。該ターゲットオブジェクトは、キャリア又はセルである。
【００７２】
本開示の実施例に係る端末装置３００は、アクティブ化されたターゲットオブジェクトの情報に基づいて、ＰＤＣＣＨをモニタリングし、該ターゲットオブジェクトはキャリア又はセルであり、アクティブ化されたターゲットオブジェクトの間に自身のＰＤＣＣＨ処理能力を割り当てることができて、非アクティブ化されたターゲットオブジェクトが自身のＰＤＣＣＨ処理能力を占有することを回避して、自身のＰＤＣＣＨ処理能力を十分に活用し、制御リソースの割り当てを最大化し、自身の処理能力を超えないように制御チャネルの割り当てブロックリング確率を低減することができる。
【００７３】
本開示の実施例において、無線周波数ユニット３０１は、情報の送受信中又は通話中の信号の送受信に用いられてよく、具体的には、基地局からのダウンリンクデータを受信した後、プロセッサ３１０に処理させ、また、アップリンクデータを基地局に送信する。一般的には、無線周波数ユニット３０１は、アンテナ、少なくとも１つの増幅器、トランシーバ、カプラ、低雑音増幅器、デュプレクサなどを含むが、これらに限定されない。また、無線高周波ユニット３０１は、無線通信システムにより、ネットワーク及び他の装置と通信してもよい。
【００７４】
移動端末は、ネットワークモジュール３０２によりユーザに無線のブロードバンドインターネットアクセスを提供して、例えば、ユーザの電子メールの送受信、ウェブページの閲覧及びストリーミングメディアへのアクセスなどを助ける。
【００７５】
オーディオ出力ユニット３０３は、無線周波数ユニット３０１又はネットワークモジュール３０２によって受信されるか又はメモリ３０９に記憶されたオーディオデータをオーディオ信号に変換して音声として出力することができる。また、オーディオ出力ユニット３０３は、移動端末３００によって実行される特定の機能に関するオーディオ出力（呼出音、メッセージ着信音など）をさらに提供することができる。オーディオ出力ユニット３０３は、スピーカ、ブザー、及び受話器などを含む。
【００７６】
入力ユニット３０４は、オーディオ又はビデオ信号を入力する。入力ユニット３０４は、グラフィック処理ユニット（Ｇｒａｐｈｉｃｓ  Ｐｒｏｃｅｓｓｉｎｇ  Ｕｎｉｔ、ＧＰＵ）３０４１及びマイクロフォン３０４２を含んでよく、グラフィック処理ユニット３０４１は、動画撮影モード又は画像撮影モードで画像撮影装置（例えば、カメラ）により取得された静止画像又はビデオの画像データを処理する。処理後の画像フレームは表示ユニット３０６に表示することができる。グラフィック処理ユニット３０４１によって処理された画像フレームは、メモリ３０９（又は他の記憶媒体）に記憶されてもよく、無線周波数ユニット３０１又はネットワークモジュール３０２により送信されてもよい。マイクロフォン３０４２は、音声を受信して、かつこのような音声をオーディオデータに処理することができる。処理後のオーディオデータは、電話通話モードの場合、無線周波数ユニット３０１により移動通信基地局に送信可能なフォーマットに変換して出力することができる。
【００７７】
移動端末３００は、光センサ、動きセンサ及び他のセンサなどの少なくとも１種のセンサ３０５をさらに含む。具体的には、光センサは、環境光の明るさに応じて表示パネル３０６１の輝度を調節することができる環境光センサと、移動端末３００が耳元に移動したときに表示パネル３０６１及び／又はバックライトをオフにすることができる近接センサとを含む。動きセンサの１種として、加速センサは、各方向（一般的には３軸）の加速度の大きさを検出でき、静止時に重力の大きさや方向を検出でき、端末姿勢（例えば、横／縦画面の切り替え、相関ゲーム、磁力計の姿勢較正）の識別、振動識別に関連する機能（例えば歩数計、タッピング）等に用いられてよく、センサ３０５はさらに指紋センサ、圧力センサ、虹彩センサ、分子センサ、ジャイロスコープ、気圧計、湿度計、温度計、赤外線センサなどを含んでもよく、ここでは説明を省略する。
【００７８】
表示ユニット３０６は、ユーザが入力した情報、又はユーザに提供する情報を表示するものである。表示ユニット３０６は、液晶ディスプレィ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で構成された表示パネル３０６１を含んでよい。
【００７９】
ユーザ入力ユニット３０７は、入力された数字又は文字情報を入力し、移動端末のユーザ設定及び機能制御に関するキー信号の入力を生成することができる。具体的には、ユーザ入力ユニット３０７は、タッチパネル３０７１及び他の入力装置３０７２を含む。タッチパネル３０７１は、タッチスクリーンとも呼ばれ、タッチパネル３０７１に接触する又は近接するユーザのタッチ操作（例えば、指、スタイラスペンなどの任意の適切な物体又はアクセサリを用いてタッチパネル３０７１に接触する又はタッチパネル３０７１近接するユーザの操作）を収集することができる。タッチパネル３０７１は、タッチ検出装置及びタッチコントローラの２つの部分を含んでよい。タッチ検出装置は、ユーザのタッチ方位を検出し、タッチ操作による信号を検出し、タッチコントローラに信号を送る。タッチコントローラは、タッチ検出装置からタッチ情報を受信し、タッチ点座標に変換し、プロセッサ３１０に送信し、プロセッサ３１０からの命令を受信して実行する。また、抵抗式、容量式、赤外線式及び弾性表面波式などの様々なタイプでタッチパネル３０７１を実現することができる。タッチパネル３０７１に加えて、ユーザ入力ユニット３０７は、他の入力装置３０７２をさらに含んでもよい。具体的に、他の入力装置３０７２は、物理キーボード、ファンクションキー（例えば、ボリューム制御ボタン、スイッチボタンなど）、トラックボール、マウス、操作レバーを含むが、これらに限定されず、ここでは説明を省略する。
【００８０】
さらに、タッチパネル３０７１は、表示パネル３０６１をカバーすることができ、タッチパネル３０７１がそこに接触する又は近接するタッチ操作を検出すると、プロセッサ３１０に伝送してタッチイベントの種類を決定し、その後、プロセッサ３１０は、タッチイベントの種類に応じて、表示パネル３０６１に対応する視覚的出力を提供する。図３では、タッチパネル３０７１と表示パネル３０６１は、２つの独立した部品として移動端末の入出力機能を実現しているが、いくつかの実施形態では、タッチパネル３０７１と表示パネル３０６１とを一体化して移動端末の入出力機能を実現してもよく、ここでは具体的に限定しない。
【００８１】
インタフェースユニット３０８は、外部装置が端末装置３００に接続するインタフェースである。例えば、外部装置は、有線又は無線のヘッドホンポート、外部電源（又はバッテリチャージャ）ポート、有線又は無線のデータポート、メモリカードポート、識別モジュールを有する装置を接続するためのポート、サウンド入出力（Ｉ／Ｏ）ポート、ビデオＩ／Ｏポート、イヤホンポートなどを含んでよい。インタフェースユニット３０８は、外部装置からの入力（例えば、データ情報、電力など）を受信するとともに、受信した入力を移動端末３００内の１つ又は複数の素子に伝送したり、移動端末３００と外部装置との間でデータを伝送したりすることができる。
【００８２】
メモリ３０９は、ソフトウェアプログラム及び様々なデータを記憶することができる。メモリ３０９は、主に、オペレーティングシステム、少なくとも１つの機能（例えば、音声再生機能、イメージ再生機能など）に必要なアプリケーションプログラムなどを記憶するプログラム記憶領域と、携帯電話の使用により作成されたデータ（例えば、オーディオデータ、電話帳など）などを記憶できるデータ記憶領域と、を含んでよい。また、メモリ３０９は、高速ランダムアクセスメモリを含んでもよく、少なくとも１つの磁気ディスクメモリ素子、フラッシュメモリ素子などの不揮発性メモリ又は他の揮発性固体メモリ素子を含んでよい。
【００８３】
プロセッサ３１０は、移動端末の制御センターであり、様々なインタフェース及び回線により移動端末全体の各部に接続され、メモリ３０９に記憶されたソフトウェアプログラム及び／又はモジュールを動作させるか又は実行し、メモリ３０９に記憶されたデータを呼び出して、移動端末の様々な機能を実行しデータを処理することにより、移動端末全体をモニタリングする。プロセッサ３１０は、１つ以上の処理ユニットを含んでよい。好ましくは、プロセッサ３１０は、主にオペレーションシステム、ユーザインタフェース及びアプリケーションプログラムなどを処理するアプリケーションプロセッサと、主に無線通信を処理するモデムプロセッサとを集積してもよい。なお、上記モデムプロセッサは、プロセッサ３１０に集積されていなくてもよいことを理解されたい。
【００８４】
移動端末３００は、各部品に給電する電源３１１（例えば、電池）を含んでもよく、好ましくは、電源３１１は、電源管理システムによりプロセッサ３１０と論理的に接続されて、電源管理システムにより充電、放電及び消費電力の管理などの機能を実現することができる。
【００８５】
なお、端末装置３００は、図示しない機能モジュールをいくつか含むが、ここでは説明を省略する。
【００８６】
本開示の実施例に係るコンピュータ可読記憶媒体は、プロセッサによって実行されると、上記実施例におけるモニタリング方法の複数のプロセスを実現し、同様の効果を奏することができるコンピュータプログラムが記憶されており、重複を避けるために、ここでは説明を省略する。該コンピュータ可読記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスクなどであってよい。
【００８７】
なお、本明細書において、用語「含む」、「備える」及びそれらの任意の変形は、非排他的に含むことをカバーするものであり、一連の要素を含むプロセス、方法、物品又は装置は、それらの要素を含むだけでなく、明確に例示されていない他の要素も含むか、又はこれらのプロセス、方法、物品又は装置に固有の要素をも含む。それ以上の限定がない場合に、語句「１つの．．．を含む」により限定された要素は、該要素を含むプロセス、方法、物品又は装置に、別の同一の要素の存在を除外しない。
【００８８】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。そのような理解に基づいて、本開示の技術案の実質又は関連技術に寄与する部分をソフトウェア製品の形態で実現することができる。該コンピュータソフトウェア製品は、記憶媒体（例えば、ＲＯＭ／ＲＡＭ、ディスク、光ディスク）に記憶され、端末（携帯電話、コンピュータ、サーバ、エアコン又はネットワーク装置などであってもよい）に本開示の各実施例で説明した方法を実行させる幾つかの命令を含むことができる。
【００８９】
以上、図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲を逸脱することなしにさらに多くの形態を達成することができるが、これらはいずれも本開示の保護範囲内に属する。
【図１】
2021525051.tif 000008
【図２】
2021525051.tif 000009
【図３】
2021525051.tif 000010
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
端末装置に適用されるモニタリング方法であって、
アクティブ化されたターゲットオブジェクトの情報に基づいて、物理ダウンリンク制御チャネルＰＤＣＣＨをモニタリングすることを含み、
ここで、前記ターゲットオブジェクトは、キャリア又はセルであり、前記端末装置のＰＤＣＣＨ処理能力は、前記アクティブ化されたターゲットオブジェクトの間で割り当てられる、モニタリング方法。
【請求項２】
前記アクティブ化されたターゲットオブジェクトのＳＣＳは、前記アクティブ化されたターゲットオブジェクトのアクティブ化ダウンリンクＢＷＰによって決定される、請求項１に記載のモニタリング方法。
【請求項３】
前記のアクティブ化されたターゲットオブジェクトの情報に基づいて、物理ダウンリンク制御チャネルＰＤＣＣＨをモニタリングすることは、
前記アクティブ化されたターゲットオブジェクトの数に基づいて、ＰＤＣＣＨモニタリング処理能力を決定することを含み、
ここで、前記ＰＤＣＣＨモニタリング処理能力は、前記端末装置の最大ＰＤＣＣＨモニタリング処理能力、及び／又は、前記アクティブ化されたターゲットオブジェクト中の各ターゲットオブジェクトの最大ＰＤＣＣＨモニタリング処理能力を含む、請求項１に記載のモニタリング方法。
【請求項４】
アクティブ化されたターゲットオブジェクトの情報に基づいてＰＤＣＣＨをモニタリングするモニタリングモジュールを含み、
ここで、前記ターゲットオブジェクトは、キャリア又はセルであり、端末装置のＰＤＣＣＨ処理能力は、前記アクティブ化されたターゲットオブジェクトの間で割り当てられる、端末装置。
【請求項５】
前記アクティブ化されたターゲットオブジェクトのＳＣＳは、前記アクティブ化されたターゲットオブジェクトのアクティブ化ダウンリンクＢＷＰによって決定される、請求項４に記載の端末装置。
【請求項６】
前記モニタリングモジュールは、具体的には、
第１タイミングにおいて、第１ターゲットオブジェクトの状態変更指示シグナリングを受信すると、第２タイミングから、前記第１ターゲットオブジェクトの状態変更後のアクティブ化されたターゲットオブジェクトの情報に基づいて、ＰＤＣＣＨをモニタリングする、請求項４に記載の端末装置。
【請求項７】
前記第２タイミングは、前記第１タイミングと、前記第１ターゲットオブジェクトの状態変更遅延、前記状態変更指示シグナリングの応答遅延、及び第１予め設定された遅延のうちの少なくとも１つとに基づいて決定される、請求項６に記載の端末装置。
【請求項８】
前記第２タイミングは、
前記第１タイミングと、前記第１タイミング及び前記状態変更遅延の和の値と、前記状態変更指示シグナリングの応答タイミングと、前記第１タイミング、前記応答遅延及び前記状態変更遅延の和の値とのうちのいずれか一項である、請求項７に記載の端末装置。
【請求項９】
前記状態変更指示シグナリングは、
アクティブ化シグナリング、非アクティブ化シグナリング、及び前記第１ターゲットオブジェクトのアクティブ化ダウンリンクＢＷＰの変更を指示するシグナリングのいずれか一項である、請求項６に記載の端末装置。
【請求項１０】
前記モニタリングモジュールは、更に、
第３タイミングにおいて、第２ターゲットオブジェクトの状態タイマが満了すると、第４タイミングから、前記第２ターゲットオブジェクトの状態変更後のアクティブ化されたターゲットオブジェクトの情報に基づいて、ＰＤＣＣＨをモニタリングする、請求項４に記載の端末装置。
【請求項１１】
前記第４タイミングは、
前記第３タイミングと、前記第２ターゲットオブジェクトの状態変更遅延及び第２予め設定された遅延のうちの少なくとも１つとに基づいて決定される、請求項１０に記載の端末装置。
【請求項１２】
前記第４タイミングは、
前記第３タイミング、又は、前記第３タイミングと状態変更時間遅延との和の値である、請求項１１に記載の端末装置。
【請求項１３】
前記モニタリングモジュールは、前記アクティブ化されたターゲットオブジェクトの数に基づいて、ＰＤＣＣＨモニタリング処理能力を決定する決定ユニットを更に含み、
ここで、前記ＰＤＣＣＨモニタリング処理能力は、前記端末装置の最大ＰＤＣＣＨモニタリング処理能力、及び／又は、前記アクティブ化されたターゲットオブジェクト中の各ターゲットオブジェクトの最大ＰＤＣＣＨモニタリング処理能力を含む、請求項４に記載の端末装置。
【請求項１４】
前記アクティブ化されたターゲットオブジェクト同士のＳＣＳが同じである場合、前記端末装置の最大ＰＤＣＣＨモニタリング処理能力は、ｍｉｎ（Ｓ，Ｙ）×Ｐであり、
ここで、Ｓは、前記アクティブ化されたターゲットオブジェクトの数であり、Ｙは、前記端末装置がサポート可能と報告したブラインド検出能力であり、Ｐは、１つのスロット内でブラインド検出される最大ＰＤＣＣＨ候補数、又は前記端末装置がブラインド検出を実行する際に必要な最大非オーバーラップ制御チャネル要素ＣＣＥ数である、請求項１３に記載の端末装置。
【請求項１５】
前記アクティブ化されたターゲットオブジェクト同士のＳＣＳが異なる場合、前記端末装置の最大ＰＤＣＣＨモニタリング処理能力は、
【数１】
2021525051.tif 000011
であり、
ここで、Ｓは、前記アクティブ化されたターゲットオブジェクトの数であり、Ｙは、前記端末装置がサポート可能と報告したブラインド検出能力であり、Ｐは、１つのスロット内でブラインド検出される最大ＰＤＣＣＨ候補数、又は前記端末装置がブラインド検出を実行する際に必要な最大非オーバーラップＣＣＥ数であり、μは、前記端末装置がサポートするＳＣＳ構成であり、Sμは、各種類のＳＣＳ構成μのターゲットオブジェクト数である、請求項１３に記載の端末装置。
【国際調査報告】
2021525051.tif 000012
2021525051.tif 000013
2021525051.tif 000014
2021525051.tif 000015